(57)【要約】【課題】通気間隙を有する外壁構造において、壁の内部で結露が発生するのを防止する。【解決手段】外壁の厚み方向において、中央に配置される枠組構造２０と、枠組構造２０の内部に収容される断熱材２２と、断熱材２２の屋外側で枠組構造２０に貼着されるケナフ繊維ボード４４と、ケナフ繊維ボード４６の屋外側に、通気間隙５０をあけて配置される外装材４０と、枠組構造２０の屋内側に配置される内装材３０とを備える外壁構造。【選択図】  図１
2004183407.tif 000002
【特許請求の範囲】
【請求項１】
建築物の屋内側と屋外側とを仕切る外壁の構造であって、
前記外壁の厚み方向において、中央に配置される枠組構造と、
前記枠組構造の内部に収容される断熱材と、
前記断熱材の屋外側で前記枠組構造に貼着されるケナフ繊維ボードと、
前記ケナフ繊維ボードの屋外側に、通気間隙をあけて配置される外装材と、
前記枠組構造の屋内側に配置される内装材と
を備える外壁構造。
【請求項２】
前記ケナフ繊維ボードが、厚み０．５〜８ｍｍ、透湿度５００〜２０００ｇ／ｍ２・２４ｈである
請求項１に記載の外壁構造。
【請求項３】
建築物の屋内側と屋外側とを仕切る外壁に施工される複合建築パネルであって、
盤状をなす枠体と、
前記枠体の内部に収容される断熱材と、
前記断熱材の屋外側で前記枠体に貼着されるケナフ繊維ボードと、
前記ケナフ繊維ボードの屋外側に、通気間隙をあけて配置される外装材と、
前記枠体の屋内側に配置される内装材と
を備える複合建築パネル。
【発明の詳細な説明】
【０００１】
【発明の属する技術分野】
本発明は、外壁構造および外壁用の複合建築パネルに関し、詳しくは、建築物の屋外側と屋内側とを仕切る外壁の構造と、このような外壁を構築するのに利用され、外壁を構成する部材が一体化された複合建築パネルとを対象にしている。
【０００２】
【従来の技術】
住宅などの外壁構造として、外壁の構造強度を負担する骨組みを構成する柱や梁、鉄骨などの枠組み構造の内部空間に、ガラス繊維マットなどの断熱材を収容して、外壁の断熱性を向上させる技術が知られている。
また、外壁の屋外側に面するセメント板などの外装材と、前記した枠組構造や断熱材との間に、空気が自由に流通する通気間隙を設けておく通気外壁の技術も知られている。例えば、強烈な日射によって外装材が過熱しても、通気間隙によって、屋内側の断熱材とは隔離されているので、断熱材や内装材側が昇温することが防止できる。通気間隙を流通する空気が、外装材の熱を奪って冷却する機能も発揮できる。
【０００３】
このような通気外壁構造では、断熱材が通気間隙のほうにはみ出さないように押えておくため、通気間隙の内側で断熱材の外側に、合板や石膏材料からなるシージングボードなどの押え板を貼り付けることが行われている。外装材側からは雨水などが侵入するので、押え板には防水処理が施されることが多い。
【０００４】
【発明が解決しようとする課題】
ところが、前記のような通気外壁構造では、押え板の屋内側の表面や断熱材の内部などに結露が生じ易いという問題がある。
これは、押え板の屋内側と屋外側との間に大きな温度差が生じることで、押え板の表面に結露が発生するのである。例えば、寒季には、押え板の屋外側は通気間隙を流通する空気によって冷却される。押え板の屋内側では、屋内の暖房熱が内装材を介して断熱材に含まれたりしている壁内の空気を温める。押え板の屋内側表面に接触した温かい空気が急速に冷却されると、押え板の表面あるいは周辺の空気に結露が発生することになる。
【０００５】
外壁の内部に発生した結露は、カビを発生させたり、外壁の構成部材を腐食させたり錆びさせたりする問題を起こす。
通気外壁構造では、常に通気間隙を空気が流通しているため、断熱材などが存在する壁の内部空間が、屋外側の気温変化の影響を受け易く、結露が発生し易くなる。
本発明の課題は、前記のような通気間隙を有する外壁構造において、壁の内部で結露が発生するのを防止することである。
【０００６】
【課題を解決するための手段】
本発明にかかる外壁構造は、建築物の屋内側と屋外側とを仕切る外壁の構造であって、前記外壁の厚み方向において、中央に配置される枠組構造と、前記枠組構造の内部に収容される断熱材と、前記断熱材の屋外側で前記枠組構造に貼着されるケナフ繊維ボードと、前記ケナフ繊維ボードの屋外側に、通気間隙をあけて配置される外装材と、前記枠組構造の屋内側に配置される内装材とを備える。
〔建築物の外壁〕
建築物としては、一般住宅や集合住宅のほか、各種のオフィスビルや工場、公共施設などにも適用できる。
【０００７】
建築物の屋内側と屋外側とを仕切る外壁である。外壁の基本構造としては、厚み方向の中央に配置される枠組構造と、枠組構造の屋外側に配置される外装材と、枠組構造の屋内側に配置される内装材とで構成される。外装材と枠組構造との間には通気間隙が設けられる。
〔枠組構造〕
木質柱や桟、鉄骨、コンクリート柱などで構成され、外壁の基本的な構造強度を負担する。外装材および内装材を支持する支持構造にもなる。
通常の建築物における外壁の枠組構造と同様の材料および構造が採用される。
【０００８】
〔断熱材〕
枠組構造の内部に収容され、外壁の断熱性を向上させる。
通常の建築物における外壁用断熱材が使用できる。具体的には、ガラス繊維マット、発泡樹脂ボードなどが挙げられる。
〔ケナフ繊維ボード〕
断熱材の屋外側で枠組構造に貼着される。
１年草植物であるケナフの繊維を集積し成形したボード材料である。ケナフ繊維は、比較的に長繊維で強度にも優れている。ケナフ繊維に加えて、バインダー材料を配合しておけば、成形し易く、機械的強度も向上する。ケナフ繊維は、ケナフ植物の表皮側から採取される。ケナフ植物の芯部分を粉砕したものを配合しておくこともできる。
【０００９】
ケナフ繊維ボードの製造方法は、通常の建材用途に利用されているケナフ繊維ボードと共通する技術が適用できる。基本的には、ケナフ植物の表皮部分を原料にして、繊維解繊、繊維マット化、接着剤含浸、乾燥、マット積層、熱圧プレスなどの工程を経て製造される。より具体的には、特開２００２−２８３３１３号公報、特開２００２−２４８６１０号公報、特開平１１−３３３９８６号公報などに開示された技術が適用される。
ケナフ繊維ボードは、厚いものほど強度や耐変形性が向上するが、薄いほうが透湿性は高まる。そこで、要求性能に合わせて厚みを設定する。通常は、厚み０．５〜８ｍｍの範囲に設定する。好ましくは１〜４ｍｍである。
【００１０】
ケナフ繊維ボードの透湿度が５００〜２０００ｇ／ｍ２・２４ｈであるものが好ましく、１０００ｇ／ｍ２・２４ｈであるものがより好ましい。
ケナフ繊維ボードの屋外側に配置される面に、透湿防水層を設けることができる。透湿防水層は、透湿防水シート（フィルム）をケナフ繊維ボードの表面に貼ることで構成できる。透湿防水塗料をケナフ繊維ボードの表面に塗工して形成することもできる。透湿防水層は、外壁の屋外側から浸入してくる雨水などの水が、ケナフ繊維ボードよりも屋内側に浸入することを防止するのに有効である。
〔外装材〕
ケナフ繊維ボードの屋外側に、通気間隙をあけて配置される。
【００１１】
通常の建築物における外装材の材料および構造が採用できる。外装材の材料として、ＡＬＣ板、セメント板、セラミック板などが挙げられる。タイル状の外装材を取り付け易くするため、合板やセメント板などからなる外装下地板を施工しておくこともできる。
通気間隙は、外壁の枠組構造と外装材あるいは外装下地材との間に、桟やブロック材などの間隙保持材を挟むことで構成される。間隙材は、通気間隙を遮断しないように、断続的あるいは部分的に配置しておくのが好ましい。
通気間隙の幅は、建築物の施工条件によっても異なるが、通常は、１〜２ｃｍに設定される。
【００１２】
〔内装材〕
枠組構造の屋内側に配置される。
通常の建築物における内装材料が使用できる。内装材には、屋内空間に露出する内装仕上げ材、内装下地材、防音材、断熱材などが含まれる。内装材の材料として、合板、石膏ボード、繊維ボード、発泡樹脂ボード、内装タイル、壁紙などが挙げられる。
〔複合建築パネル〕
工業化住宅や高層建築物の外壁を構築するのに利用される建築部材である。
【００１３】
鋼材で枠組みされた鋼枠、あるいは、木材で枠組みされた木枠など、盤状をなす枠体で前記した枠組構造あるいはその一部が構成される。
枠体の内部には断熱材が収容される。断熱材の屋外側で枠体にケナフ繊維ボードが貼着される。ケナフ繊維ボードの屋外側に、通気間隙をあけて外装材が配置される。枠体の屋内側に内装材が配置される。これらの構成部材が一体化されて、複合建築パネルを構成する。
複合建築パネルを、建築物の外壁個所に並べて配置し、パネル同士を互いに連結固定したりパネルを土台や柱などの支持構造に連結固定したりすることで、外壁が構築される。
【００１４】
【発明の実施の形態】
図１、２に示す外壁構造は、複合建築パネル１０で構築されている。
〔複合建築パネル〕
複合建築パネル１０は、Ｃ型鋼などの型鋼材を組み合わせ溶接して構成された鋼枠２０を有する。鋼枠２０は、平面矩形で厚みのある盤状をなしており、その内部には空間があいている。
鋼枠２０の内部空間には、ガラス繊維マットなどからなる断熱材２２が収容されている。図２に示すように、鋼枠２０の内部には、各種の配線や配管を通す空間を確保する紙管２４も配置される。紙管２４が挿入されることで、平坦な布団状の断熱材２２が部分的に押しつぶされた形に変形させられている。
【００１５】
鋼枠２０のうち、施工状態で屋内側に配置される面には、内装材３０が施工されている。内装材３０は、鋼枠２０側から合板３３、スチレン発泡ボード３２、石膏ボード３１が順番に配置されている。図示しないが、屋内側の表面には壁紙を貼ったり塗装仕上げを施したりする。
鋼枠２０の屋外側には、ケナフ繊維ボード４４が貼り付けられている。ケナフ繊維ボード２０として、市販のケナフ繊維ボード〔松下電工社製、厚み１．５〜２．５ｍｍ、透湿度１２００〜１６００ｇ／ｍ２・２４ｈ〕が使用される。ケナフ繊維ボード２０は、前記した紙管２４の挿入によって変形させられた断熱材２２が、鋼枠２０の屋外側にはみ出さないように押える機能を果たす。
【００１６】
ケナフ繊維ボード４４の表面には、間隔保持用の桟材４６を介して、合板、集成材からなる外装下地材４２が取り付けられている。外装下地材４２とケナフ繊維ボード４４との間に通気間隙５０が構成される。通気間隙５０の幅は、例えば１０〜２０ｍｍに設定される。通気間隙５０を上下左右の何れの方向でも複合建築パネル１０の端部まで連通させるようにするため、桟材４６は、各辺に沿って部分的に配置されたり、途中で分断されていたりする。
外装下地材４２の表面には、セメント板などからなる外装材４０が取り付けられる。
【００１７】
〔複合建築パネルの施工〕
前記のような構造を備えた複合建築パネル１０は、工場などで予め生産され、完成した状態で建築現場に搬入される。
建築現場では、建築物の外壁に相当する場所に複合建築パネル１０を並べて、ボルトなどで一体的に連結していくだけで、外壁構造が構築される。このとき、複合建築パネル１０の外装材４０が、外壁の屋外側に配置され、内装材３０が屋内側に配置される。
複合建築パネル１０で外壁が構築された状態で、各複合建築パネル１０の通気間隙５０は互いに連通した状態になる。外壁の下端では、通気間隙５０を屋外空間や床下空間に開放しておく。外壁の上端では、通気間隙５０が、屋根裏空間に連通していたり、軒下で屋外空間と連通していたりする。
【００１８】
通気間隙５０には空気が自由に流通する。その結果、例えば、夏期に日射で熱せられた外装板４０の熱が、ケナフ繊維ボード４４よりも屋内側に伝達されるのを、通気間隙５０を流通する空気によって遮断または抑制することができる。
寒期に、暖房された屋内空間と屋外空間との温度差によって、断熱材２２などが存在する壁内空間に結露が発生することがある。しかし、通気間隙５０を空気が流通していると、壁内空間の湿気がケナフ繊維ボード４４を通過して通気間隙５０側に排出されるので、ケナフ繊維ボード４４よりも室内側の空間に過剰な湿気が溜まることが防止され、その結果、結露の発生もなくなる。
【００１９】
〔防水構造〕
降雨によって、外装板４０の隙間などから通気間隙５０に雨水が侵入することがある。ケナフ繊維ボード４４は、湿気は通すが耐水性を有しているので、雨水がケナフ繊維ボード４４に付着してもケナフ繊維ボード４４が損傷することはない。
しかし、ケナフ繊維ボード４４よりも室内側に、雨水などが侵入するのを確実に阻止するには、ケナフ繊維ボード４４の屋外側面に、透湿性のある防水シートを積層したり、透湿防水塗装を施したりして、透湿防水層を積層しておくことが有効である。ケナフ繊維ボード４４そのものに、透湿性を損なわずに防水性を付与する処理を施すことも有効である。例えば、透湿性防水シートとして、透湿性シート〔旭・デュポン  フラッシュプロダクツ社製〕をシージングボードに貼り付けて防水性を付与し、全体の透湿度１０００ｇ／ｍ２・２４ｈとしたものが使用できる。
【００２０】
【発明の効果】
本発明にかかる外壁構造は、外装材の内側に配置される通気間隙と、その屋内側の断熱材との間が、ケナフ繊維ボードで仕切られていることにより、ケナフ繊維ボードよりも屋内側の空間で発生する過剰な湿気を、ケナフ繊維ボードを通過させて通気間隙へと効率的に排除することができる。その結果、壁面の内外における温度差によって壁内空間に結露が発生して、壁の構造部材が腐食したり劣化したりすることを防止でき、建築物の耐久性を大幅に向上させることができる。ケナフ繊維ボードは、透湿性が高いだけでなく、耐変形性にも優れているので、薄いものであっても、断熱材の膨れやはみ出しを押えておく機能は良好に発揮できる。
【図面の簡単な説明】
【図１】本発明の実施形態を表す外壁構造の垂直断面図
【図２】水平断面図
【符号の説明】
１０    複合建築パネル
２０    鋼枠
２２    断熱材
２４    紙管
３０    内装材
４０    外装材
４２    外装下地材
４４    ケナフ繊維ボード
５０    通気間隙
【図１】
2004183407.tif 000003
【図２】
2004183407.tif 000004